(57)【特許請求の範囲】
【請求項１】
コンテンツデータについての付加データの検索方法において、
再生しようとするコンテンツデータを受信するステップと、
前記コンテンツデータに関連した少なくとも一つ以上のキーワードを含むメタデータを受信するステップと、
前記受信されたメタデータをパージングするステップと、
前記パージングされたメタデータを前記受信されたコンテンツデータと同期化するステップと、
前記受信されたメタデータに含まれた前記キーワードを利用して、前記コンテンツデータについての付加データを検索するステップと、を含み、
前記付加データを検索するステップは、前記コンテンツデータの再生が未だに終了していなければ、
前記コンテンツデータの再生中に、前記同期化されたメタデータが適用される時間区間で前記コンテンツについての付加データの存在を知らせるステップと、
前記コンテンツデータの再生中に、前記同期化されたメタデータが適用される時間区間で前記付加データに対する要請がある場合に、前記メタデータに含まれたキーワードを利用して、付加データを検索するステップと、を含み、
前記コンテンツデータの再生が既に終了しているならば、
前記コンテンツデータの再生が終了した後に、前記メタデータに含まれた前記キーワードを利用してキーワードテーブルを生成するステップと、
前記生成されたキーワードテーブルを利用して、前記コンテンツデータについての付加データを検索するステップと、を含む
ことを特徴とする検索方法。
【請求項２】
前記メタデータは、
前記コンテンツデータの再生時間に対して、前記メタデータが適用される時間区間を表す時間情報を含み、
前記キーワードテーブルは、前記時間情報に対応する時間区間で再生される前記コンテンツデータの画面情報を含んでいることを特徴とする請求項１に記載の検索方法。
【請求項３】
前記キーワードテーブルに含まれたキーワードと関連したコンテンツデータを再生しようとする場合に、
前記メタデータに含まれた前記時間情報を利用して、前記再生が終了したコンテンツデータで前記時間区間に該当するコンテンツデータ領域を再生するステップをさらに含むことを特徴とする請求項２に記載の検索方法。
【請求項４】
前記付加データの検索結果を画面に出力するステップをさらに含むことを特徴とする請求項１に記載の検索方法。
【請求項５】
前記コンテンツデータの再生中に、前記同期化されたメタデータが適用される時間区間で前記付加データに対する要請がない場合に、
前記コンテンツデータの再生が終了するまで、前記メタデータを保存するステップをさらに含むことを特徴とする請求項１に記載の検索方法。
【請求項６】
前記付加データを検索するステップは、
前記コンテンツデータの再生が終了した後に、ブラウザを利用してネットワークを検索する場合に、
前記メタデータに含まれた少なくとも一つのキーワードを少なくとも一つの推薦検索語として提供するステップをさらに含むことを特徴とする請求項１に記載の検索方法。
【請求項７】
前記検索で使われたキーワードをヒストリーファイルとして保存するステップをさらに含み、
前記推薦検索語を提供するステップは、前記ヒストリーファイルに含まれた前記キーワードの使用頻度によって前記推薦検索語の優先順位を決定するステップをさらに含むことを特徴とする請求項６に記載の検索方法。
【請求項８】
コンテンツデータについての付加データの検索装置において、
再生しようとするコンテンツデータを受信するコンテンツ受信部と、
前記受信されたコンテンツデータを再生するコンテンツ再生部と、
前記コンテンツデータに関連した少なくとも一つ以上のキーワードを含むメタデータを受信するメタデータ受信部と、
前記受信されたメタデータをパージングするメタデータパーザーと、
前記パージングされたメタデータを前記受信されたコンテンツデータと同期化するメタデータシンク処理部と、
前記受信されたメタデータに含まれた前記キーワードを利用して、前記コンテンツデータについての付加データを検索する付加データ処理部と、
前記コンテンツデータの再生が未だに終了していなければ、前記コンテンツデータの再生中に、前記同期化されたメタデータが適用される時間区間で前記コンテンツについての付加データの存在を知らせる付加データ通知部とを備え、
前記付加データ処理部は、
前記コンテンツデータの再生が既に終了している場合に、前記コンテンツデータの再生が終了した後に、前記メタデータに含まれた前記キーワードを利用してキーワードテーブルを生成するキーワードテーブル処理部と、
前記生成されたキーワードテーブルを利用して、前記コンテンツデータについての付加データを検索する付加データ検索部とを備え、
前記付加データ処理部は、前記コンテンツデータの再生終了如何に基づき、前記コンテンツデータの再生中に、前記同期化されたメタデータが適用される時間区間で前記付加データに対する要請がある場合に、前記メタデータに含まれたキーワードを利用して検索することを特徴とする検索装置。
【請求項９】
前記メタデータは、
前記コンテンツデータの再生時間に対して、前記メタデータが適用される時間区間を表す時間情報を含み、
前記キーワードテーブルは、前記時間情報に対応する時間区間で再生される前記コンテンツデータの画面情報を含んでいることを特徴とする請求項８に記載の検索装置。
【請求項１０】
前記キーワードテーブルに含まれたキーワードと関連したコンテンツデータを再生しようとする場合に、
前記コンテンツ再生部は、前記メタデータに含まれた前記時間情報を利用して、前記再生が終了したコンテンツデータで前記時間区間に該当するコンテンツデータ領域を再生することを特徴とする請求項９に記載の検索装置。
【請求項１１】
前記付加データ処理部は、前記要請された付加データを検索して、検索された結果を画面に出力することを特徴とする請求項８に記載の検索装置。
【請求項１２】
前記コンテンツデータの再生中に、前記同期化されたメタデータが適用される時間区間で前記付加データに対する要請がない場合に、
前記付加データ処理部は、前記コンテンツデータの再生が終了するまで前記メタデータを保存することを特徴とする請求項１０に記載の検索装置。
【請求項１３】
前記付加データ処理部は、
前記コンテンツデータの再生が終了した後に、ブラウザを利用してネットワークを検索する場合に、前記メタデータに含まれた少なくとも一つのキーワードを少なくとも一つの推薦検索語として提供することを特徴とする請求項８に記載の検索装置。
【請求項１４】
前記付加データ処理部は、
前記検索で使われたキーワードをヒストリーファイルとして保存し、前記ヒストリーファイルに含まれた前記キーワードの使用頻度によって前記推薦検索語の優先順位を決定することを特徴とする請求項１３に記載の検索装置。
【請求項１５】
請求項１に記載の検索方法を具現するためのプログラムが記録されたコンピュータで読み取り可能な記録媒体。
【請求項１６】
請求項８に記載の検索装置が搭載されたコンテンツ再生デバイス。
【発明の詳細な説明】
【技術分野】
【０００１】
本発明は、コンテンツデータについての付加データの検索方法に係り、特にＶＯＤ（ビデオ  オン  デマンド）のようなコンテンツデータに対して関連したキーワードを含むメタデータを受信して、ＶＯＤを視聴した後に前記受信されたキーワードを利用して便利に付加データを検索する方法及び装置に関する。
【背景技術】
【０００２】
デジタル放送により、コンテンツのビデオ及びオーディオ（Ａ／Ｖ）データだけでなく、コンテンツと関連した多様なサービスのための付加データの伝送まで可能になった。
【０００３】
しかし、従来には、ＶＯＤのようなコンテンツデータを視聴する時に、再生されている間にのみ付加データを利用できた。すなわち、再生される該場面に関連した付加データが画面上の特定の位置でコンテンツと共にディスプレイされるか、またはユーザーインターフェースを通じて両方向に制御された。
【０００４】
従来のようにＶＯＤの視聴中に付加データを画面に共に表すのは、かえってユーザーの集中を妨害する副作用があり、ＶＯＤの視聴を終了した後に該付加データを得ようとする時にも、ＶＯＤの再生途中に提供されたかかる付加データを再び獲得できる方法が別途に存在していない。また、実際にコンテンツに関連した付加データを挿入するためには、コンテンツデータ自体を再びエンコーディングせねばならないという不便があった。
【０００５】
また、付加データを提供するために、該情報が位置したインターネットサイトのリンクアドレスを提供する場合にも、かかるリンクアドレスは、いずれか一つのサイトに固定されてユーザーが獲得できる情報の量が制限されるという問題があった。
【特許文献１】韓国特許公開第１０−２０００−００５８９７０号
【発明の開示】
【発明が解決しようとする課題】
【０００６】
本発明の目的は、前記のような問題点を解決するためのものであって、コンテンツデータに関連したキーワードを含むメタデータを受信して、コンテンツを視聴した後に前記受信されたキーワードを利用して便利に付加データを検索する方法及び装置を提供するところにある。
【課題を解決するための手段】
【０００７】
前記目的は、本発明によって、コンテンツデータについての付加データの検索方法において、再生しようとするコンテンツデータを受信するステップと、前記コンテンツデータに関連した少なくとも一つ以上のキーワードを含むメタデータを受信するステップと、前記受信されたメタデータに含まれた前記キーワードを利用して、前記コンテンツデータについての付加データを検索するステップと、を含むことを特徴とする検索方法により達成される。
【０００８】
前記付加データを検索するステップは、前記コンテンツデータの再生が終了した後に、前記メタデータに含まれた前記キーワードを利用して、キーワードテーブルを生成するステップと、前記生成されたキーワードテーブルを利用して、前記コンテンツデータについての付加データを検索するステップと、を含むことが望ましい。
【０００９】
前記メタデータは、前記コンテンツデータの再生時間に対して、前記メタデータが適用される時間区間を表す時間情報を含み、前記キーワードテーブルは、前記時間情報に対応する時間区間で再生される前記コンテンツデータの画面情報を含んでいることが望ましい。
【００１０】
前記キーワードテーブルに含まれたキーワードと関連したコンテンツデータを再生しようとする場合に、前記メタデータに含まれた前記時間情報を利用して、前記再生が終了したコンテンツデータで前記時間区間に該当するコンテンツデータ領域を再生するステップをさらに含むことが望ましい。
【００１１】
前記受信されたメタデータをパージングするステップと、前記パージングされたメタデータを前記受信されたコンテンツデータと同期化するステップと、前記コンテンツデータの再生中に、前記同期化されたメタデータが適用される時間区間で前記コンテンツについての付加データの存在を知らせるステップと、をさらに含むことが望ましい。
【００１２】
前記コンテンツデータの再生中に、前記同期化されたメタデータが適用される時間区間で前記付加データに対する要請がある場合に、前記メタデータに含まれたキーワードを利用して、前記要請された付加データを検索するステップと、前記付加データの検索結果を画面に出力するステップと、をさらに含むことが望ましい。
【００１３】
前記コンテンツデータの再生中に、前記同期化されたメタデータが適用される時間区間で前記付加データに対する要請がない場合に、前記コンテンツデータの再生が終了するまで前記メタデータを保存するステップをさらに含むことが望ましい。
【００１４】
前記付加データを検索するステップは、前記コンテンツデータの再生が終了した後に、ブラウザを利用してネットワークを検索する場合に、前記メタデータに含まれたキーワードを推薦検索語として提供するステップをさらに含むことが望ましい。
【００１５】
前記検索で使われたキーワードをヒストリーファイルとして保存するステップをさらに含み、前記推薦検索語を提供するステップは、前記ヒストリーファイルに含まれた前記キーワードの使用頻度によって前記推薦検索語の優先順位を決定するステップをさらに含むことが望ましい。
【００１６】
一方、本発明の他の分野によれば、前記目的は、コンテンツデータについての付加データの検索装置において、再生しようとするコンテンツデータを受信するコンテンツ受信部と、前記受信されたコンテンツデータを再生するコンテンツ再生部と、前記コンテンツデータに関連した少なくとも一つ以上のキーワードを含むメタデータを受信するメタデータ受信部と、前記受信されたメタデータに含まれた前記キーワードを利用して、前記コンテンツデータについての付加データを検索する付加データ処理部と、を備えることを特徴とする検索装置によっても達成される。
【００１７】
前記付加データ処理部は、前記コンテンツデータの再生が終了した後に、前記メタデータに含まれた前記キーワードを利用して、キーワードテーブルを生成するキーワードテーブル処理部と、前記生成されたキーワードテーブルを利用して、前記コンテンツデータについての付加データを検索する付加データ検索部と、を備えることが望ましい。
【００１８】
前記メタデータは、前記コンテンツデータの再生時間に対して、前記メタデータが適用される時間区間を表す時間情報を含み、前記キーワードテーブルは、前記時間情報に対応する時間区間で再生される前記コンテンツデータの画面情報を含んでいることが望ましい。
【００１９】
前記キーワードテーブルに含まれたキーワードと関連したコンテンツデータを再生しようとする場合に、前記コンテンツ再生部は、前記メタデータに含まれた前記時間情報を利用して、前記再生が終了したコンテンツデータで前記時間区間に該当するコンテンツデータ領域を再生することが望ましい。
【００２０】
前記受信されたメタデータをパージングするメタデータパーザーと、前記パージングされたメタデータを前記受信されたコンテンツデータと同期化するメタデータシンク処理部と、前記コンテンツデータの再生中に、前記同期化されたメタデータが適用される時間区間で前記コンテンツについての付加データの存在を知らせる付加データ通知部と、をさらに備えることが望ましい。
【００２１】
前記コンテンツデータの再生中に、前記同期化されたメタデータが適用される時間区間で前記付加データに対する要請がある場合に、前記付加データ処理部は、前記メタデータに含まれたキーワードを利用して前記要請された付加データを検索して、検索された結果を画面に出力することが望ましい。
【００２２】
前記コンテンツデータの再生中に、前記同期化されたメタデータが適用される時間区間で前記付加データに対する要請がない場合に、前記付加データ処理部は、前記コンテンツデータの再生が終了するまで前記メタデータを保存することが望ましい。
【００２３】
前記付加データ処理部は、前記コンテンツデータの再生が終了した後に、ブラウザを利用してネットワークを検索する場合に、前記メタデータに含まれたキーワードを推薦検索語として提供することが望ましい。
【００２４】
前記付加データ処理部は、前記検索で使われたキーワードをヒストリーファイルとして保存し、前記ヒストリーファイルに含まれた前記キーワードの使用頻度によって前記推薦検索語の優先順位を決定することが望ましい。
【００２５】
さらに、本発明の一実施形態による検索方法を具現するためのプログラムが記録されたコンピュータで読み取り可能な記録媒体を含み、本発明の他の実施形態による検索装置が搭載されたコンテンツ再生デバイスを含む。
【発明の効果】
【００２６】
本発明によるコンテンツデータについての付加データの検索方法及びその装置によれば、ＶＯＤコンテンツを再びエンコーディングする必要なしに容易に関連したメタデータを挿入でき、ＶＯＤを視聴する途中や視聴後にもキーワードテーブルを通じてメタデータに接近することが可能であり、ブラウザを利用した検索時にもキーワードを関連した検索語として提供されて、キーを入力し難いＴＶ環境でも容易に付加データを検索できる。
【発明を実施するための最良の形態】
【００２７】
本発明と、本発明の動作上の利点及び本発明の実施によって達成される目的を十分に理解するためには、本発明の望ましい実施形態を例示する添付図面及び図面に記載された内容を参照せねばならない。
【００２８】
以下、添付された図面を参照して、本発明の望ましい実施形態について詳細に説明する。
【００２９】
図１は、本発明の一実施形態によるコンテンツデータについての付加データの検索方法を説明するためのフローチャートである。図１に示すように、本発明は、再生しようとするコンテンツデータを受信するステップ１１０と、コンテンツデータに関連した少なくとも一つ以上のキーワードを含むメタデータを受信するステップ１２０と、受信されたメタデータに含まれた前記キーワードを利用して、コンテンツデータについての付加データを検索するステップ１３０とからなる。
【００３０】
まず、ステップ１１０では、コンテンツデータを受信する。このとき、外部ネットワークを通じてコンテンツデータを受信してもよく、光学的記録媒体（ＤＶＤ，ＢｌｕｅＲａｙ）などを利用してコンテンツデータを受信してもよい。
【００３１】
ステップ１２０ではメタデータを受信するが、メタデータは、前記コンテンツデータに関連したキーワードを含む。キーワードとは、例えば再生されるコンテンツの特定の場面に登場する商品の広告名、該場面の場所、登場人物などとなりうる。
【００３２】
ステップ１３０では、かかるキーワードを検索語として利用して該付加データを検索する。
【００３３】
整理すれば、後述するが、本発明の特徴は、キーワードを含むメタデータを受信して、ＶＯＤの視聴後にもそれらのキーワードを通じて所望の付加データを容易に検索できるということである。
【００３４】
図２は、本発明の他の実施形態によるコンテンツデータについての付加データの検索方法をさらに具体的に説明するためのフローチャートである。図２を参照して本発明の動作過程を順次に説明すれば、まず、前述したように再生しようとするコンテンツデータを受信し（ステップ２１０）、また、コンテンツデータに関連した少なくとも一つ以上のキーワードを含むメタデータを受信する（ステップ２１５）。
【００３５】
このように受信されたメタデータを前処理する過程で、メタデータをパージングし（ステップ２２０）、パージングされた結果は、ユーザーが端末で保存して保有する。かかるメタデータには、その情報をいつ見せるかについての時間情報と、今後付加データの検索時に利用するキーワード情報とを含んでいる。次いで、メタデータとコンテンツデータとのシンクを互いに合わせるために同期化する作業を行う（ステップ２２５）。
【００３６】
ここで、図３を参照して、メタデータに関して具体的に説明する。図３は、コンテンツデータに関連したキーワードを含むメタデータの構造の例を示す図である。図３に示すように、まず、最初の行でメタデータを識別するＩＤを表す“ｄａｔａ  ｉｄ＝１２３”を見ることができる。かかるメタデータは、時間情報の一例として開始時刻である“ｓｔａｒｔ”と終了時刻である“ｅｎｄ”とを含むが、それらの時間情報は、コンテンツデータの再生時間と同期を合わせて、該時間区間でのみメタデータを適用させるのに必要な情報である。
【００３７】
また、“ｋｅｙｗｏｒｄ  ｔｙｐｅ”として“Ａｄｖ”、“Ｔｏｕｒ”、“Ｈｕｍａｎ”を表すが、それぞれコンテンツの特定の場面に登場する商品の広告名、該場面の旅行地場所、登場人物を指す。
【００３８】
図３に示したメタデータの構造は、一例に過ぎず、コンテンツデータと関連したキーワード及びメタデータが適用される時間情報を含む条件を満足する多様な変形例がありうる。
【００３９】
再び図２に示すように、ＶＯＤのようなコンテンツデータの再生が終了すれば（ステップ２３０）、以前に受信したメタデータに含まれたキーワードを利用してキーワードテーブルを生成する（ステップ２３５）。キーワードテーブルは、コンテンツデータの再生中に受信されたあらゆるメタデータを含んでキーワード別に整理した表で表現され、これについての例を図５に示す。
【００４０】
図５は、本発明の一実施形態による、コンテンツデータの再生終了後に画面に表したキーワードテーブルの例を示す図であって、上段に“広告”、“旅行地情報”、“人物”、“ＶＯＤ場面”などをキーワードとして有している。
【００４１】
図５に示したテーブルに含まれたそれぞれのキーワードは、以前に再生された“ＶＯＤ場面”が画面に表れた時間区間で適用されたメタデータに含まれたキーワードである。したがって、ユーザーは、ＶＯＤの視聴が終了した後にも、図５のようにキーワードテーブルでそれぞれのキーワードを明らかに一目で把握できる。また、かかるテーブル画面でユーザーが特定のキーワードのアイテムを選択すれば、該当する付加データを検索することもできる。
【００４２】
さらに、ユーザーは、“広告”、“旅行地情報”、“人物”に関する情報だけでなく、メタデータの時間情報に対応する時間区間で再生されるコンテンツデータの画面情報である“ＶＯＤ場面”を選択して、該時間区間のコンテンツデータを再び再生して、それぞれのアイテムがどのように登場して使われたかをさらに詳細に確認することもできる。
【００４３】
再び図２に示すように、このように生成されたキーワードテーブルを通じて（ステップ２３５）、前記コンテンツデータについての実際の付加データを検索する（ステップ２４０）。
【００４４】
一方、ＶＯＤが再生されている途中には、前述した同期化されたメタデータが適用される時間区間で前記コンテンツについての付加データの存在を知らせる。すなわち、メタデータが含んでいる時間情報を見て、ＶＯＤの再生時間と一致する時に再生されるＶＯＤの画面で関連したメタデータがあることを知らせるメッセージを表示する（ステップ２４５）。
【００４５】
次いで、かかる通知メッセージを通じてユーザーから付加データに対する要請がある場合に、該メタデータに含まれているキーワードを利用して検索し（ステップ２５５）、検索結果を画面に直ちに表す（ステップ２６０）。しかし、ユーザーが付加データを見ようとしない時には、該メタデータを保有し続ける（ステップ２６５）。ＶＯＤの終了後に、キーワードテーブルを生成する時に使用するためである。
【００４６】
このように、ＶＯＤの再生中にメタデータがあることを表示し、付加データを検索する過程の例は、図４Ａ及び図４Ｂに示されている。
【００４７】
図４Ａ及び図４Ｂは、コンテンツデータの再生中にコンテンツについての付加データの存在を知らせる画面であって、図４Ａに示すように、ＶＯＤの再生中に画面の左側上段に感嘆符号のような通知表示４１０が表れている。これは、現在再生中である場面に関連したメタデータの存在を意味し、すなわちコンテンツと関連した付加データが提供されることを知らせる。該場面で付加データを見ようとする場合には、図４Ｂの下段に示されたように検索された結果画面４２０が紹介される。
【００４８】
一方、ＶＯＤの再生中に登場した色々なキーワードは、ＶＯＤの再生が終了した後にもユーザーに色々な便宜を提供できるが、そのうち一つがブラウザを通じた検索語として提供されるものである。以下、図６を参照して説明する。
【００４９】
図６は、本発明の他の実施形態による、コンテンツデータの再生終了後にブラウザを利用してネットワークを検索する画面を示す図である。
【００５０】
ユーザーは、ＶＯＤの視聴後、ブラウザを利用してネットワークを検索する場合に、ＶＯＤの視聴中に提供された色々なキーワードを推薦検索語として活用できる。ＴＶのような場合には、ネットワーク検索のためのキーを入力し難い場合が多いので、図６の画面左側６１０に示したように、キーワードを推薦検索語として提供して、ユーザーは、所定のキーワードを使用して容易に所望の検索を行える。
【００５１】
かかる検索を通じて使われたキーワードは、ヒストリーファイルとして保存され、さらに、ヒストリーファイルに含まれたキーワードの使用頻度によって推薦検索語の優先順位を決定して、次の検索時にさらに容易かつ迅速にキーワードを入力可能に助けになる。
【００５２】
図７は、本発明のさらに他の実施形態による、コンテンツデータについての付加データの検索装置を示す機能ブロック図である。図７を参照して付加データの検索装置を概括的に説明すれば、コンテンツデータを処理するブロック（コンテンツ受信部７１０、コンテンツ再生部７２０）と、メタデータ及び付加データを処理するブロック７３０（メタデータ受信部７３１、付加データ処理部７３２）とから構成される。
【００５３】
コンテンツ受信部７１０は、再生しようとするコンテンツデータを受信し、コンテンツ再生部７２０は、受信されたコンテンツデータを再生して画面に出力する役割を行う。
【００５４】
メタデータ受信部７３１は、前記コンテンツデータに関連した少なくとも一つ以上のキーワードを含むメタデータを受信し、付加データ処理部７３２は、受信されたメタデータに含まれたキーワードを利用して、コンテンツデータについての付加データを検索する。
【００５５】
図８は、本発明のさらに他の実施形態による、メタデータ及び付加データの処理部をさらに具体的に示す機能ブロック図である。
【００５６】
メタデータ及び付加データを処理するブロック７３０は、さらに細部的な下位ブロックを含むが、メタデータ受信部７３１は、コンテンツデータに関連したキーワードを含むメタデータを受信し、メタデータパーザー７３３は、受信されたメタデータをパージングする。メタデータシンク処理部７３４は、前記パージングされたメタデータをコンテンツデータと同期化する処理を行う。また、付加データ通知部７３５は、コンテンツデータの再生中に、前記同期化されたメタデータが適用される時間区間でコンテンツについての付加データの存在をメッセージで知らせる。
【００５７】
受信されたメタデータに含まれたキーワードを利用して、コンテンツデータについての付加データを検索する付加データ処理部７３２は、コンテンツデータの再生が終了した後に、前記メタデータに含まれたキーワードを利用して、キーワードテーブルを生成するキーワードテーブル処理部７３２−１と、生成されたキーワードテーブルを利用して、コンテンツデータについての付加データを検索する付加データ検索部７３２−２と、をさらに備える。
【００５８】
一方、前述した本発明のコンテンツデータについての付加データの検索方法は、コンピュータで実行されるプログラムで作成可能であり、コンピュータで読み取り可能な記録媒体を利用して前記プログラムを動作させる汎用デジタルコンピュータで具現される。
【００５９】
また、前述したように本発明で使われたデータの構造は、コンピュータで読み取り可能な記録媒体に色々な手段を通じて記録される。
【００６０】
前記コンピュータで読み取り可能な記録媒体は、磁気記録媒体（例えば、ＲＯＭ（リード  オンリ  メモリ）、フロッピー（登録商標）ディスク、ハードディスクなど）、光学的な読み取り媒体（例えば、ＣＤ−ＲＯＭ、ＤＶＤなど）及びキャリアウェーブ（例えば、インターネットを通じた伝送）のような記録媒体を含む。
【００６１】
これまで、本発明について、その望ましい実施形態を中心に説明した。当業者は、本発明が、本発明の本質的な特性から逸脱しない範囲で変形された形態に具現可能であるということを理解できるであろう。したがって、開示された実施形態は、限定的な観点ではなく、説明的な観点で考慮されねばならない。本発明の範囲は、前述した説明ではなく、特許請求の範囲に表れており、それと同等な範囲内にあるあらゆる相違点は、本発明に含まれていると解釈されねばならない。
【産業上の利用可能性】
【００６２】
本発明は、コンテンツ再生デバイス関連の技術分野に適用可能である。
【図面の簡単な説明】
【００６３】
【図１】本発明の一実施形態による、コンテンツデータについての付加データの検索方法を説明するためのフローチャートである。
【図２】本発明の他の実施形態による、コンテンツデータについての付加データの検索方法をさらに具体的に説明するためのフローチャートである。
【図３】コンテンツデータに関連したキーワードを含むメタデータの構造の例を示す図である。
【図４Ａ】コンテンツデータの再生中にコンテンツについての付加データの存在を知らせる画面を示す図である。
【図４Ｂ】コンテンツデータの再生中にコンテンツについての付加データの存在を知らせる画面を示す図である。
【図５】本発明の一実施形態による、コンテンツデータの再生終了後に画面に表したキーワードテーブルの例を示す図である。
【図６】本発明の他の実施形態による、コンテンツデータの再生終了後にブラウザを利用してネットワークを検索する画面を示す図である。
【図７】本発明のさらに他の実施形態による、コンテンツデータについての付加データの検索装置を示す機能ブロック図である。
【図８】本発明のさらに他の実施形態による、メタデータ及び付加データの処理部をさらに具体的に示す機能ブロック図である。
【符号の説明】
【００６４】
７１０    コンテンツ受信部
７２０    コンテンツ再生部
７３１    メタデータ受信部
７３２    付加データ処理部
７３２−１  キーワードテーブル処理部
７３２−２  付加データ検索部
７３３    メタデータパーザー
７３４    メタデータシンク処理部
７３５    付加データ通知部
【図１】
0005519117.tif 000002
【図２】
0005519117.tif 000003
【図３】
0005519117.tif 000004
【図４Ａ】
0005519117.tif 000005
【図４Ｂ】
0005519117.tif 000006
【図５】
0005519117.tif 000007
【図６】
0005519117.tif 000008
【図７】
0005519117.tif 000009
【図８】
0005519117.tif 000010